(57)【要約】【課題】携帯端末装置と鍵装置との関係を強化することでセキュリティの大幅な向上を期待できるようにする。【解決手段】携帯電話機１は、鍵装置２０から近距離無線通信でロック解除信号を受信した際にロック状態を解除する。これにより携帯電話機１と鍵装置２０との距離が近くても鍵装置２０からロック解除信号を送信しなければ、ロック状態を解除することができず、鍵装置２０との距離を条件とせずに携帯電話機１と鍵装置２０との関係を強化することができる。【選択図】  図１
2012109698.tif 000002
【特許請求の範囲】
【請求項１】
少なくとも所定の機能の使用を制限するロック状態に設定可能な携帯端末装置であって、
当該携帯端末装置と対の関係にある鍵装置から近距離無線通信により送信された信号を受信する近距離無線通信手段と、
前記近距離無線通信手段が受信した信号がロック解除信号である場合に前記ロック状態を解除する処理を実行させる制御手段と、
を備えたことを特徴とする携帯端末装置。
【請求項２】
通知音発生手段を更に備え、
前記制御手段は、前記ロック状態を解除する処理を実行した際に、前記通知音発生手段を駆動して該解除処理の完了を通知する通知音の発生処理を実行させる、
ようにしたことを特徴とする請求項１記載の携帯端末装置。
【請求項３】
使用状態に応じた形態に変更可能な複数の筐体が使用不能な形態に変更されたことを検出する検出手段を更に備え、
前記制御手段は、前記検出手段により使用不能な形態が検出された場合に、前記ロック状態に設定する処理を実行させる、
ようにしたことを特徴とする請求項１記載の携帯端末装置。
【請求項４】
前記制御手段は、前記ロック解除処理を実行した後、記憶データを前記鍵装置側に転送するデータバックアップ処理を実行させる、
ようにしたことを特徴とする請求項１記載の携帯端末装置。
【請求項５】
前記制御手段は、前記ロック解除処理を実行した後、前記鍵装置側にバックアップされているデータを取り込んで復元するデータリストア処理を実行させる、
ようにしたことを特徴とする請求項１記載の携帯端末装置。
【請求項６】
少なくとも所定の機能の使用を制限するロック状態に設定可能な携帯端末装置であって、
当該携帯端末装置と対の関係にある鍵装置から近距離無線通信により送信された信号を受信する近距離無線通信手段と、
通知音発生手段と、
前記近距離無線通信手段が受信した信号がロック設定信号である場合に前記ロック状態に設定する処理を実行させると共に、前記通知音発生手段を駆動して該設定処理の完了を通知する通知音の発生処理を実行させる制御手段と、
を備えたことを特徴とする携帯端末装置。
【請求項７】
コンピュータに対して、
少なくとも所定の機能の使用を制限するロック状態に設定する機能と、
近距離無線通信機能付きの鍵装置から送信された信号を近距離無線通信により受信する機能と、
前記受信した信号がロック解除信号である場合に前記ロック状態を解除する処理を実行させる機能と、
を実現させるためのプログラム。
【請求項８】
少なくとも所定の機能の使用を制限するロック状態に設定する機能と、
近距離無線通信機能付きの鍵装置から送信された信号を近距離無線通信により受信する機能と、
前記受信した信号がロック設定信号である場合に前記ロック状態に設定する処理を実行させると共に、通知音発生手段を駆動して該設定処理の完了を通知する通知音の発生処理を実行させる機能と、
を実現させるためのプログラム。
【発明の詳細な説明】
【技術分野】
【０００１】
本発明は、使用を制限するロック機能を備えた携帯端末装置及びプログラムに関する。
【背景技術】
【０００２】
昨今の携帯電話機としての携帯端末装置は、例えば、クレジットカード機能やプリペイドカード機能、公共交通機関の定期券機能、自宅の鍵機能など様々な機能や個人情報である電話帳や写真データなどが集約しており、大変便利である反面、紛失した場合の被害が非常に大きくなる。そのため、携帯端末装置にはパスワードにより個人情報を保護する機能が備わっているが、多くは４桁程度の数字からなるパスワードであり、他人の手に渡った場合にパスワードが解読されるのは時間の問題となる。
【０００３】
そこで、従来では、携帯端末装置の紛失時でのリスクを分散させるために携帯端末装置とキー（鍵）装置でシステムを構成して、携帯端末装置側の個人情報を保護する技術が知られている。例えば、携帯端末装置とキー装置との間でＩＤ情報を近距離無線通信により相互に送受信し、携帯端末装置とキー装置との距離（電波強度）に応じて携帯端末装置を自動的にロックして個人情報を保護するようにした技術が提案されている（特許文献１参照）。
【先行技術文献】
【特許文献】
【０００４】
【特許文献１】特開２００８−００４９８８号公報
【発明の概要】
【発明が解決しようとする課題】
【０００５】
しかしながら、上述した先行技術にあっては、携帯端末装置とキー装置との距離が離れて受信電力が所定のしきい値を下回ったことを条件にセキュリティ保護を有効とする技術であって、携帯端末装置とキー装置との距離が所定の範囲内であれば、個人情報を保護することはできず、また、携帯端末装置とキー装置との距離が離れた場合に携帯端末装置を自動的にロックするだけでは、紛失した携帯端末装置を見つけ出すことはできなかった。
【０００６】
本発明の課題は、携帯端末装置と鍵装置との関係を強化することでセキュリティの大幅な向上を期待できるようにすることである。
【課題を解決するための手段】
【０００７】
上述した課題を解決するために第１の発明の一つの態様は、
少なくとも所定の機能の使用を制限するロック状態に設定可能な携帯端末装置であって、
当該携帯端末装置と対の関係にある鍵装置から近距離無線通信により送信された信号を受信する近距離無線通信手段と、
前記近距離無線通信手段が受信した信号がロック解除信号である場合に前記ロック状態を解除する処理を実行させる制御手段と、
を備えたことを特徴とする。
【０００８】
また、第１の発明の他の態様は、
コンピュータに対して、
少なくとも所定の機能の使用を制限するロック状態に設定する機能と、
近距離無線通信機能付きの鍵装置から送信された信号を近距離無線通信により受信する機能と、
前記受信した信号がロック解除信号である場合に前記ロック状態を解除する処理を実行させる機能と、
を実現させるためのプログラム、である。
【０００９】
上述した課題を解決するために第２の本発明の一つの態様は、
少なくとも所定の機能の使用を制限するロック状態に設定可能な携帯端末装置であって、
当該携帯端末装置と対の関係にある鍵装置から近距離無線通信により送信された信号を受信する近距離無線通信手段と、
通知音発生手段と、
前記近距離無線通信手段が受信した信号がロック設定信号である場合に前記ロック状態に設定する処理を実行させると共に、前記通知音発生手段を駆動して該設定処理の完了を通知する通知音の発生処理を実行させる制御手段と、
を備えたことを特徴とする携帯端末装置。
【００１０】
また、第２の発明の他の態様は、
少なくとも所定の機能の使用を制限するロック状態に設定する機能と、
近距離無線通信機能付きの鍵装置から送信された信号を近距離無線通信により受信する機能と、
前記受信した信号がロック設定信号である場合に前記ロック状態に設定する処理を実行させると共に、通知音発生手段を駆動して該設定処理の完了を通知する通知音の発生処理を実行させる機能と、
を実現させるためのプログラム、である。
【発明の効果】
【００１１】
本発明によれば、携帯端末装置と鍵装置との関係を強化することでセキュリティの大幅な向上を期待することができ、実用性に富んだものとなる。
【図面の簡単な説明】
【００１２】
【図１】携帯端末装置として適用した携帯電話機１の外観を概略的に示した図。
【図２】携帯電話機１の基本的な構成要素を示したブロック図。
【図３】鍵装置２０の基本構成な要素を示したブロック図。
【図４】携帯電話機１において近距離無線通信で鍵装置２０から電波を受信した際に実行開始されるフローチャート。
【図５】第２実施形態において、携帯電話機１に鍵装置２０が外部入出力端子４、２１を介して接続された際に実行開始されるフローチャート。
【発明を実施するための形態】
【００１３】
以下、本発明の実施の形態について、図面を参照して詳細に説明する。
（実施形態１）
先ず、図１〜図４を参照して本発明の第１実施形態を説明する。
図１は、携帯端末装置として適用した携帯電話機の外観を概略的に示した図である。
この携帯電話機１は、２つの筐体（下部筐体、上部筐体）が開閉可能に取り付けられた折り畳み自在なもので、この折り畳み型の携帯電話機には、音声通話機能、電子メール機能、インターネット接続機能（Ｗｅｂアクセス機能）、近距離（短距離）通信機能などが備えられている。
【００１４】
この携帯電話機１を構成する２つの筐体、つまり、下部筐体（操作部筐体）１ａと上部筐体（表示部筐体）１ｂとは、ヒンジ部１ｃを介して開閉可能（折り畳み可能）に取り付けられている。そして、この下部筐体１ａの前面には通話用マイク２及びキー操作部３が配設され、また、下部筐体１ａの一側面にはＰＣ（パーソナルコンピュータ）や充電器などの外部機器に接続可能な他に鍵装置２０に接続可能な雌型の外部入出力端子４が配設されている。上部筐体１ｂの前面には通話用スピーカ５及び表示部６が配設されている。なお、キー操作部５と表示部６とは、下部筐体１ａと上部筐体１ｂとを折り畳んだ状態（閉状態）では互いに向かい合って対向する状態となる。
【００１５】
鍵装置２０は、携帯電話機１と対をなす関係にあるもので、近距離無線通信機能が備えられている。この鍵装置２０の筐体（例えば、携帯電話機１の１／１０程度の大きさ）の一側部には、携帯電話機１側の雌型外部入出力端子４に挿入接続される雄型の外部入出力端子２１が配設されている。また、筐体の前面には、２種類の押しボタン２２、２３が配設されている。この押しボタン２２は、携帯電話機１側をキーロック状態に設定すべきことを要求するロック設定ボタンであり、他の押しボタン２３は、携帯電話機１側のキーロック状態を解除すべきことを要求するロック解除ボタンである。ここで、キーロック状態とは、後述するが、所定のキーを除く他の全てのキー操作を無効とする状態（使用不能な状態）に設定されていることをいう。
【００１６】
このロック設定ボタン２２及びロック解除ボタン２３が操作されると、その操作に応じたロック設定信号やロック解除信号が制御コードとして近距離無線通信により携帯電話機１側に送信される。なお、鍵装置２０は、例えば、家の鍵や車の鍵などと一緒にキーホルダで管理することができるようにしているが、その管理の仕方は任意である。このように鍵装置２０を携帯電話機１と別々に管理しておくことで、携帯電話機１がキーロック状態に設定されていれば、たとえ、紛失などにより携帯電話機１が他人の手に渡ったとしても、不正操作の心配も無く、携帯電話機１を紛失した際のリスクを減らすことが可能となる。
【００１７】
図２は、携帯電話機１の基本的な構成要素を示したブロック図である。
ＣＰＵ１１は、携帯電話機１の全体動作を制御する中央演算処理装置で、キー操作部３からのキー入力信号に応じて携帯電話機１の各種の処理を実行したり、入力されたデータや処理されたデータを表示部（例えば、液晶表示部）６に表示させたりする。キー操作部３は、各種のキーとして、電源キー、メニューキー、受話キー、数値キーなどを備えたもので、押しボタン式のキーに限らず、液晶表示画面上にタッチセンサを積層配置したタッチキーを構成するものであってもよい。
【００１８】
内蔵メモリ１２は、例えば、ＲＯＭ、ＲＡＭ、フラッシュメモリなどを有する構成で、この内蔵メモリ１２には、図４に示した動作手順に応じて本実施形態を実現するためのプログラムや各種のアプリケーションなどが格納されているほか、個人情報として、電話帳、メール、スケジュール、メモ、音声、画像、動画など、様々なデータが格納されている。また、内蔵メモリ１２には、近距離無線通信のペアリング認識用として使用されるＩＤコード情報（図示省略）が格納され、更には一時的に情報を記憶するワーク領域としても使用される。
【００１９】
無線部１３は、アンテナ１４を介して最寄りの携帯電話基地局との間で無線通信を行うことにより、電話の着呼や発呼、通話用マイク２及び通話用スピーカ５を使用しての音声通話、インターネット上からコンテンツのダウンロード、電子メールの送受信などを実行可能となっている。開閉検出部１５は、下部筐体１ａと上部筐体１ｂとを折り畳んだ状態（閉状態）であるか、２つの筐体を開いた開状態であるかを検出するもので、下部筐体１ａと上部筐体１ｂのいずれか一方の筐体に磁石が配置され、反対側の筐体に、この磁石と対向する位置に磁力を感知する磁気センサを配置した構成となっているが、その構成は、これに限らず、例えば、機械的手段や光学的な手段などであってもよい。
【００２０】
開閉検出部１５により下部筐体１ａと上部筐体１ｂとを折り畳んだ状態（閉状態）が検出されると、ＣＰＵ１１は、キー操作をロック状態に設定するようにしている。ここで、ロック状態とは、キー操作部３上の各種のキーのうち、所定のキー（例えば、着信に応答する受話キー）を除いた他の全てのキー操作を無効とするキーロック状態を意味している。このように携帯電話機１には、筐体が閉状態となると自動的にキー操作をロック状態とする機能（ロック機能）が備えられている。
【００２１】
ＲＦ（Radio Frequency）受信部１６は、電波を利用した非接触型の受信部で、アンテナ１７を介して鍵装置２０との間で近距離無線通信を行う。なお、ＲＦ受信部１６の通信可能範囲は、例えば、２〜３メートル内となっており、鍵装置２０を所持しているユーザが通信可能範囲内まで接近している状態において、鍵装置２０との間でデータの送受信が行われる。この場合、鍵装置２０側においてそのロック設定ボタン２２、ロック解除ボタン２３が操作されると、その操作に応じて鍵装置２０から近距離無線通信により送信されるロック設定信号やロック解除信号をＲＦ受信部１６が受信すると、ＣＰＵ１１は、この受信したロック設定信号、ロック解除信号に応じてロック設定処理やロック解除処理を実行するようにしている。なお、ロック解除処理は、近距離無線通信以外に携帯電話機１、鍵装置２０の外部入出力端子４、２１同士を直接接続した状態においても実行可能である。サウンドスピーカ１８は、着信音、各種の通知音、音楽などを発生出力するもので、ＣＰＵ１１の制御下で駆動される。
【００２２】
図３は、鍵装置２０の基本構成な要素を示したブロック図である。
ＣＰＵ２４は、鍵装置２０の全体動作を制御する中央演算処理装置で、このＣＰＵ２４には、外部入出力端子２１、ロック設定ボタン２２、ロック解除ボタン２３、メモリ２５、ＲＦ送信部２６が接続されている。メモリ２５は、例えば、ＲＯＭ、ＲＡＭを有する構成で、本実施形態を実現するためのプログラムや各種のアプリケーションなどが格納されているほか、近距離無線通信のペアリング認識用として使用されるＩＤコード情報（図示省略）が格納されている。なお、ＩＤコード情報は、携帯電話機１側に格納されているＩＤコード情報と同一内容のコード情報である。ＲＦ送信部２６は、電波を利用した非接触型の送信部で、アンテナ２７を介して携帯電話機１との間で近距離無線通信を行う。この場合、ＲＦ送信部２６からはロック設定ボタン２２、ロック解除ボタン２３の操作に応じてロック設定信号、ロック解除信号を制御コードとして上述のＩＤコード情報と共に送信される。
【００２３】
次に、第１実施形態における携帯電話機１の動作概念を図４に示すフローチャートを参照して説明する。ここで、このフローチャートに記述されている各機能は、読み取り可能なプログラムコードの形態で格納されており、このプログラムコードにしたがった動作が逐次実行される。
図４は、携帯電話機１において近距離無線通信で鍵装置２０から電波を受信した際に実行開始されるフローチャートであり、この図４のフローから抜けた際には、全体動作のメインフロー（図示省略）に戻る。
【００２４】
ここで、携帯電話機１と鍵装置２０には、共通するユニークなＩＤコード情報が記憶されているものとする。また、携帯電話機１は、その筐体が閉状態で受話キー以外のキー操作を全て不能とするキーロック状態に設定されているものとする。この状態において、携帯電話機１は、鍵装置２０から送信された信号を受信すると、図４のフローを開始する。
先ず、携帯電話機１は、鍵装置２０から送信されたＩＤコード情報及び制御コードを受信する受信処理（ステップＳ１）を実行した後、内蔵メモリ１２からＩＤコード情報を読み出し、このＩＤコード情報と受信したＩＤコード情報とを比較して両者の一致判定を行う（ステップＳ２）。その結果、両者が一致していなければ（ステップＳ２でＮＯ）、図４のフローから抜けるが、一致しているときには（ステップＳ２でＹＥＳ）、受信した制御コードの種類の判定を行う（ステップＳ３、Ｓ４）。
【００２５】
いま、制御コードがキーロック状態に設定すべきことを示すロック設定信号であれば（ステップＳ３でＹＥＳ）、受話キー以外のキー入力を無効にするキーロック状態に設定する処理（ステップＳ８）を行った後、サウンドスピーカ１８を駆動させてその処理完了を通知する通知音を発生させる（ステップＳ９）。また、制御コードがキーロック設定を示すものでなければ（ステップＳ３でＮＯ）、キーロック解除を示す制御コードであるかの判定を行う（ステップＳ４）。
【００２６】
その結果、制御コードがキーロック解除を示すロック解除信号であれば（ステップＳ４でＹＥＳ）、筐体は閉状態であるかを調べ（ステップＳ５）、閉状態であることを条件に（ステップＳ５でＹＥＳ）、全てのキー入力を有効として使用可能とするキーロック解除処理を行う（ステップＳ６）。そして、サウンドスピーカ１８を駆動させてその処理完了を通知する通知音を発生（ステップＳ７）させた後、図４のフローから抜ける。なお、筐体が閉状態である場合（ステップＳ５でＮＯ）、又は制御コードがキーロック及びキーロック解除のいずれでもない場合には（ステップＳ４でＮＯ）、図４のフローから抜ける。
【００２７】
以上のように、第１実施形態において携帯電話機１は、鍵装置２０から近距離無線通信でロック解除信号を受信した際にロック状態を解除するようにしたので、携帯電話機１と鍵装置２０との距離が近くても鍵装置２０からロック解除信号が送信されて来なければ、ロック状態を解除せずにロック状態をそのまま維持することができる。このように鍵装置２０との距離を条件とせずに携帯電話機１と鍵装置２０との関係を強化することができ、セキュリティの大幅な向上を期待することが可能となり、実用性に富んだものとなる。
【００２８】
また、携帯電話機１は、鍵装置２０からボタン操作によりロック状態を解除したり、ロック状態に設定したりした際に、その処理完了を通知する通知音を発生するようにしたので、例えば、携帯電話機１を家の中のどこかに置き忘れてしまった場合でも、処理の完了通知音によって携帯電話機１を発見し易くなる。
【００２９】
また、筐体が閉状態となると自動的にキー操作をロック状態とするようにしたので、たとえ、紛失などにより携帯電話機１が他人の手に渡ったとしても、不正操作の心配も無く、携帯電話機１を紛失した際のリスクを減らすことが可能となる。
【００３０】
（実施形態２）
以下、この発明の第２実施形態について図５を参照して説明する。
この第２実施形態は、キーロック解除処理に関連付けて鍵装置２０との間でデータバックアップ処理を実行したり、データリストア処理を実行したりするようにしたものである。そして、この第２実施形態では、携帯電話機１に鍵装置２０が外部入出力端子４、２１を介して接続された際に、キーロック状態を自動的に解除するようにしたものである。ここで、両実施形態において基本的あるいは名称的に同一のものは、同一符号を付して示し、その説明を省略すると共に、以下、第２実施形態の特徴部分を中心に説明するものとする。
【００３１】
図５は、第２実施形態において、携帯電話機１に鍵装置２０が外部入出力端子４、２１を介して接続された際に実行開始されるフローチャートであり、この図５のフローから抜けた際には、全体動作のメインフロー（図示省略）に戻る。
先ず、携帯電話機１は、鍵装置２０が接続されると、それらの接続検出処理（ステップＳ１１）を行った後、内蔵メモリ１２からＩＤコード情報を読み出し、このＩＤコード情報と受信したＩＤコード情報とを比較して両者の一致判定を行う（ステップＳ１２）。その結果、両者が一致していなければ（ステップＳ１２でＮＯ）、図５のフローから抜けるが、両者が一致しているときには（ステップＳ１２でＹＥＳ）、キーロック状態を解除する処理を行う（ステップＳ１３）。
【００３２】
このようにして鍵装置２０の接続に応じてキーロック状態を自動的に解除した後は、表示部６に処理メニュー画面（図省略）を表示させる。この処理メニュー画面には、“データバックアップ”、“データリストア”の項目が含まれており、そのいずれかの項目を選択する選択操作が行われるまで待機状態となる。すなわち、“データバックアップ”の項目が選択されたかを調べたり（ステップＳ４）、“データリストア”が選択されたかを調べたりして（ステップＳ１５）、そのいずれかが選択されるまで待機状態となる。
【００３３】
いま、初期メニュー画面の中からデータバックアップの項目が選択されたときには（ステップＳ４でＹＥＳ）、携帯電話機１の内蔵メモリ１２１２に記憶されているメールや写真、電話帳などの個人情報をセキュリティ対象の情報として外部入出力端子４、２１を介して鍵装置２０側のメモリ２５に転送するバックアップ処理を行う（ステップＳ１９）。そして、サウンドスピーカ１８を駆動させてその処理完了を通知する通知音を発生（ステップＳ２０）させると共に、バックアップ処理の完了を示すメッセージを表示部６に表示させる表示処理（ステップＳ２１）を行った後、図５のフローから抜ける。
【００３４】
また、上述の処理メニュー画面の中からデータリストアの項目が選択されたときには（ステップＳ１５でＹＥＳ）、鍵装置２０のメモリ２５にバックアップされていた個人情報を外部入出力端子２１、４を介して携帯電話機１の内蔵メモリ１２に転送するリストア処理を実行する（ステップＳ１６）。そして、サウンドスピーカ１８を駆動させてその処理完了を通知する通知音を発生（ステップＳ１７）させると共に、リストア処理の完了を示すメッセージを表示部６に表示させる表示処理（ステップＳ１８）を行った後、図５のフローから抜ける。
【００３５】
以上のように、第２実施形態において携帯電話機１は、鍵装置２を利用してデータバックアップ処理を実行したり、データリストア処理を実行したりすることができるほか、キーロック解除処理に関連付けて鍵装置２０との間でデータバックアップ処理を実行したり、データリストア処理を実行したりするようにしたので、更にセキュリティの向上が可能となる。また、携帯電話機１に鍵装置２０が外部入出力端子４、２１を介して接続された際に、キーロック状態を自動的に解除することができる。
【００３６】
なお、上述した第２実施形態においては、携帯電話機１に鍵装置２０が外部入出力端子４、２１を介して接続された際に、データバックアップ処理を実行したり、データリストア処理を実行したりするようにしたが、上述した第１実施形態のように近距離無線通信を利用して、データバックアップ処理やデータリストア処理を実行するようにしてもよい。
例えば、図４のステップＳ８（キーロック処理）の前に、図５のステップＳ１９〜Ｓ２１を挿入するようにしてもよい。この場合、鍵装置２０とのデータの転送として、近距離無線通信を利用すればよい。また、図４のステップＳ６（キーロック解除処理）の後に、図５のステップＳ１６〜Ｓ１８を挿入するようにしてもよい。この場合、鍵装置２０とのデータの転送として、近距離無線通信を利用すればよい。このようにキーロック処理とデータバックアップ処理とを関連付けて実行したり、キーロック解除処理とデータリストア処理とを関連付けて実行したりすることにより、更にセキュリティを向上させることが可能となる。
【００３７】
上述した第１及び第２実施形態においては、ロック状態として受話キー以外のキー操作が全て不能なキーロック状態を示したが、キーロックに限らず、電話帳機能、スケジュール機能、メモ機能など、所定の機能の使用を制限するロック状態であってもよい。
【００３８】
上述した第１及び第２実施形態においては、携帯端末装置として携帯電話機に適用した場合を示したが、デジタルカメラ（コンパクトカメラ）、ＰＤＡ、音楽プレイヤーなどであってもよい。
【００３９】
その他、上述した第１及び第２実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００４０】
以下、本発明の諸態様を付記としてまとめて記載する。
【００４１】
（付記１）
少なくとも所定の機能の使用を制限するロック状態に設定可能な携帯端末装置であって、
当該携帯端末装置と対の関係にある鍵装置から近距離無線通信により送信された信号を受信する近距離無線通信手段と、
前記近距離無線通信手段が受信した信号がロック解除信号である場合に前記ロック状態を解除する処理を実行させる制御手段と、
を備えたことを特徴とする携帯端末装置。
付記１によれば、対の関係にある鍵装置から近距離無線通信によりロック解除信号を受信した場合にロック状態を解除する処理を実行するようにしたので、鍵装置との距離が近くても鍵装置からロック解除信号を送信しなければ、ロック状態を解除することができず、鍵装置との距離を条件とせずに鍵装置との関係を強化することができ、セキュリティの大幅な向上を期待することが可能となる。
【００４２】
（付記２）
通知音発生手段を更に備え、
前記制御手段は、前記ロック状態を解除する処理を実行した際に、前記通知音発生手段を駆動して該解除処理の完了を通知する通知音の発生処理を実行させる、
ようにしたことを特徴とする付記１記載の携帯端末装置。
付記２によれば、ロック解除処理の完了を通知する通知音を発生するようにしたので、携帯端末装置を置き忘れてしまった場合でも、ロック解除時にそれを発見し易くなる。
【００４３】
（付記３）
使用状態に応じた形態に変更可能な複数の筐体が使用不能な形態に変更されたことを検出する検出手段を更に備え、
前記制御手段は、前記検出手段により使用不能な形態が検出された場合に、前記ロック状態に設定する処理を実行させる、
ようにしたことを特徴とする請求項１記載の携帯端末装置。
付記５によれば、複数の筐体が使用不能な形態に変更された場合に、ロック状態に設定するようにしたので、携帯端末装置が他人の手に渡ったとしても、不正操作の心配も無く、紛失した際のリスクを減らすことが可能となる。
【００４４】
（付記４）
前記制御手段は、前記ロック解除処理を実行した後、記憶データを前記鍵装置側に転送するデータバックアップ処理を実行させる、
ようにしたことを特徴とする請求項１記載の携帯端末装置。
付記４によれば、ロック解除処理に関連付けて鍵装置側にデータをバックアップすることができ、更にセキュリティを向上させることが可能となる。
【００４５】
（付記５）
前記制御手段は、前記ロック解除処理を実行した後、前記鍵装置側にバックアップされているデータを取り込んで復元するデータリストア処理を実行させる、
ようにしたことを特徴とする付記１あるいは付記６記載の携帯端末装置。
付記５によれば、ロック解除処理に関連付けて鍵装置側からデータを取り込んで復元することができ、更にセキュリティを向上させることが可能となる。
【００４６】
（付記６）
少なくとも所定の機能の使用を制限するロック状態に設定可能な携帯端末装置であって、
当該携帯端末装置と対の関係にある鍵装置から近距離無線通信により送信された信号を受信する近距離無線通信手段と、
通知音発生手段と、
前記近距離無線通信手段が受信した信号がロック設定信号である場合に前記ロック状態に設定する処理を実行させると共に、前記通知音発生手段を駆動して該設定処理の完了を通知する通知音の発生処理を実行させる制御手段と、
を備えたことを特徴とする携帯端末装置。
付記６によれば、鍵装置からの指示でロック状態に設定することができるほか、ロック設定処理の完了を通知する通知音を発生するようにしたので、携帯端末装置を置き忘れてしまった場合でも、ロック設定時にそれを発見し易くなる。
【００４７】
（付記７）
コンピュータに対して、
少なくとも所定の機能の使用を制限するロック状態に設定する機能と、
近距離無線通信機能付きの鍵装置から送信された信号を近距離無線通信により受信する機能と、
前記受信した信号がロック解除信号である場合に前記ロック状態を解除する処理を実行させる機能と、
を実現させるためのプログラム。
付記８によれば、付記１と同様に鍵装置との関係を強化することができ、セキュリティの大幅な向上を期待することが可能なものとなり、付記１の機能をソフトウェア（プログラム）の形で提供することができる。
【００４８】
（付記８）
少なくとも所定の機能の使用を制限するロック状態に設定する機能と、
近距離無線通信機能付きの鍵装置から送信された信号を近距離無線通信により受信する機能と、
前記受信した信号がロック設定信号である場合に前記ロック状態に設定する処理を実行させると共に、通知音発生手段を駆動して該設定処理の完了を通知する通知音の発生処理を実行させる機能と、
を実現させるためのプログラム。
付記８によれば、付記６と同様に鍵装置との関係を強化することができ、セキュリティの大幅な向上を期待することが可能なものとなり、付記６の機能をソフトウェア（プログラム）の形で提供することができる。
【符号の説明】
【００４９】
１  携帯電話機
１ａ  下部筐体
１ｂ  上部筐体
３  キー操作部
４、２１  外部入出力端子
６  表示部
２０  鍵装置
１１、２４  ＣＰＵ
１２  内蔵メモリ
１５  開閉検出部
１６  ＲＦ受信部
１７  サウンドスピーカ
２５  メモリ
【図１】
2012109698.tif 000003
【図２】
2012109698.tif 000004
【図３】
2012109698.tif 000005
【図４】
2012109698.tif 000006
【図５】
2012109698.tif 000007